(57)【特許請求の範囲】
【請求項１】
前面に開口部を有する貯蔵室と、
前記貯蔵室を上下に仕切るように配置される庫内棚と、
前記貯蔵室の内側側壁にあって前記貯蔵室の内方へ突出するように設けられて、前記庫内棚を支持する載置部と、
前記載置部より前方に位置して、前記貯蔵室の内側側壁にあって前記貯蔵室の内方へ突出するように設けられて、前記庫内棚を支持する支持部と、を備え、
前記庫内棚は、矩形状の板の後方側縁を切欠いて形成される幅狭部と、前記幅狭部の前方に位置して前記幅狭部よりも幅広となる幅広部とを有し、
前記支持部は、前記幅広部が入り込むことによって前記庫内棚を支持するとともに前記庫内棚がスライドされる溝部を有し、
前記載置部は、前記支持部に比べて前記貯蔵室の内方へ突出し、
前記幅狭部は、前記載置部には支持されるが前記支持部には支持されない幅である冷蔵庫。
【請求項２】
前記庫内棚は、該庫内棚を前方にスライドさせたときに、前記幅広部が前記支持部より前方に位置するとともに前記幅狭部の後部が前記載置部に支持されて取外可能状態となる請求項１記載の冷蔵庫。
【請求項３】
前記貯蔵室の前面開口部には、ドアポケットを有する観音開式の扉が設けられ、
前記扉が９０度開かれて前記庫内棚を前方にスライドさせたときに、前記取外可能状態となる請求項２記載の冷蔵庫。
【請求項４】
前記庫内棚を前方にスライドさせて、該庫内棚の前端を前記貯蔵室の開口部に位置させたときに、前記取外可能状態となる請求項３記載の冷蔵庫。
【発明の詳細な説明】
【技術分野】
【０００１】
本発明の実施形態は、冷蔵庫に関する。
【背景技術】
【０００２】
従来、例えば家庭用の冷蔵庫において、冷蔵室内の収納性を向上させるために、冷蔵室内に取外可能な庫内棚を設けることが一般的に行われている。この場合、庫内棚の傾きや回転、又は脱落を防止するために、庫内棚の左右両端部からフックを突出させて設け、この庫内棚を支持する棚受部に前記フックを係合させたものがある（例えば、特許文献１）。
【０００３】
ところで、冷蔵庫においては、冷蔵室内を照明するようにしており、その照明器は天井に設けられたり、内壁に設けられたり、またはその両方に設けられたりする。このような照明器として、庫内棚の前端から前方に若干離れて位置したものが提案されている（例えば、特許文献２）。
【０００４】
このような構成の照明器においては、各庫内棚の後部に照明の光が届き難く、庫内棚の後方部が暗くなり易いという事情があった。このため、照明器を、庫内棚の奥行方向における中央付近の左右側壁に設けることで、前記庫内棚上面全体を照らして視認性の向上を図ることが考えられる。しかし、庫内棚の左右に位置する冷蔵室側壁に、冷蔵室の内方に突出させて照明器などの構造物を設けると、この構造物と庫内棚のフックとが干渉して庫内棚の取付けや取外しが困難になるなどの問題が懸念される。
【先行技術文献】
【特許文献】
【０００５】
【特許文献１】特開２０１０−９１２１３号公報
【特許文献２】特開２００７−２７８６９８号公報
【発明の概要】
【発明が解決しようとする課題】
【０００６】
そこで、庫内棚の左右側壁に、冷蔵室内方に突出した構造物を設けるものにおいて、庫内棚の傾きや回転、脱落を防止することができる冷蔵庫を提供する。
【課題を解決するための手段】
【０００７】
本実施形態の冷蔵庫は、前面に開口部を有する貯蔵室と、前記貯蔵室を上下に仕切るように配置される庫内棚と、前記貯蔵室の内側側壁にあって前記貯蔵室の内方へ突出するように設けられて、前記庫内棚を支持する載置部と、前記載置部より前方に位置して、前記貯蔵室の内側側壁にあって前記貯蔵室の内方へ突出するように設けられて、前記庫内棚を支持する支持部と、を備える。前記庫内棚は、矩形状の板の後方側縁を切欠いて形成される幅狭部と、前記幅狭部の前方に位置して前記幅狭部よりも幅広となる幅広部とを有する。前記支持部は、前記幅広部が入り込むことによって前記庫内棚を支持するとともに前記庫内棚がスライドされる溝部を有する。前記載置部は、前記支持部に比べて前記貯蔵室の内方へ突出している。前記幅狭部は、前記載置部には支持されるが前記支持部には支持されない幅である。
【図面の簡単な説明】
【０００８】
【図１】一実施形態に係る冷蔵庫の概略構成を示す斜視図
【図２】冷蔵室を示す正面図
【図３】図２のＡ−Ａ線に沿う横断平面図
【図４】図３のＢ−Ｂ線に沿う縦断正面図
【図５】断熱箱体を透視して示す図３の矢印Ｃ方向に見た側面図
【図６】図３の矢印Ｄ方向に見た後板を示す側面図
【図７】照明ユニットの横断平面図
【図８】可動棚の構成を示す斜視図
【図９】（ａ）は可動棚が第１の状態にある横断平面図、（ｂ）は可動棚が第２の状態にある横断平面図
【図１０】（ａ）は可動棚が第１の状態にある縦断左側面図、（ｂ）は可動棚が第２の状態にある縦断左側面図
【発明を実施するための形態】
【０００９】
以下、一実施形態について、図面を参照しながら説明する。
図１において、本実施形態に係る冷蔵庫１の断熱箱体２は、前面を開口させた縦長矩形箱状をなしている。この断熱箱体２は、鋼板製の外箱３と、この外箱３の内部に離間して収容された合成樹脂製の内箱４との間に、例えばウレタンのような発泡断熱材を発泡充填させて構成されている。詳しい説明は省略するが、この断熱箱体２には、冷凍サイクル（図示せず）などが組込まれている。
【００１０】
冷蔵庫１は、断熱箱体２の内部が複数に区画されて、前面に開口部を有する複数の貯蔵室を備えて構成される。具体的には、冷蔵庫１は、最上部に位置して容積が最も大きい冷蔵室５と、この冷蔵室５の下方に配置された野菜室６と、野菜室６の下方の左側に配置された製氷室７と、製氷室７の右側に配置された小冷凍室８と、これら製氷室７及び小冷凍室８の下方に配置された冷凍室９とを備えて構成されている。
【００１１】
各貯蔵室の前面には、これら貯蔵室の開口部を開閉させるように、例えばウレタンのような発泡断熱材を発泡充填させた断熱扉が設けられている。具体的には、冷蔵室５の前面の開口部５ｄには、観音開式の左扉１０及び右扉１１が設けられている。これら左扉１０及び右扉１１は、それぞれ図示しないヒンジにより左右方向に回動可能に枢支されている。そして、左扉１０の周囲にはガスケット１０ａが設けられて、右扉１１の周囲にはガスケット１１ａが設けられている。これにより、冷蔵室５内部の冷気が外部に漏れることを防いでいる。また、左扉１０は右扉１１よりも左右方向の幅寸法が短く設定されている。左扉１０の内側（冷蔵室５側）には、冷蔵室５側へ突出するように左ドアポケット１２が上下方向に３段設けられている。同様に、右扉１１の内側（冷蔵室５側）にも、冷蔵室５側へ突出するように右ドアポケット１３が上下方向に３段設けられている。
【００１２】
野菜室６、製氷室７、小冷凍室８及び冷凍室９の前面には、それぞれ引出し式の扉６ａ，７ａ，８ａ，９ａが設けられている。この場合、製氷室７の扉７ａと小冷凍室８の扉８ａとは、左扉１０と右扉１１とが分割された位置とほぼ同じ左右方向の位置で分割されている。なお、冷蔵庫１の下部後部に配置された図示しない圧縮機により前記冷凍サイクルが駆動され、これにより冷却された冷気が各貯蔵室に送られて、各貯蔵室が冷却される。
【００１３】
冷蔵室５内の最下段には、肉や魚などを収納するためのチルドケース１４や、卵などを収納する小物ケース１５、製氷用の水を貯留する給水タンク１６が配設されている。そして、冷蔵室５内において、チルドケース１４、小物ケース１５、給水タンク１６の直ぐ上方にはチルドルーム天井板１７が配設されている。さらに、チルドルーム天井板１７の上方には一枚の固定棚１８が設けられている。チルドルーム天井板１７及び固定棚１８は、いずれもガラス製で、冷蔵室５内の左側面と右側面との間を水平状態に掛け渡すように配置されている。なお、チルドルーム天井板１７及び固定棚１８は、合成樹脂製としても良い。
【００１４】
固定棚１８の上方には、冷蔵室５内を上下に仕切るように、庫内棚たる可動棚が複数段、この場合上下方向に２段にして、上段の可動棚１９及び下段の可動棚２０が配置されている（図２参照）。これにより、冷蔵室５内における固定棚１８の上方は、２枚の可動棚１９，２０によって、上から上段部５ａと、中段部５ｂと、下段部５ｃとに仕切られる。この可動棚１９（及び可動棚２０）は、冷蔵室５内の左右両側壁の後方に設けられた上段の内箱ビード２１（及び下段の内箱ビード２２）と、この内箱ビード２１（及び内箱ビード２２）の前方に位置して設けられた後述する照明ユニット２３（照明手段）とで支持されている（図３参照）。
【００１５】
この可動棚１９（及び可動棚２０）は、図８に示すように、例えば、合成樹脂製の枠体１９ａ（及び可動棚２０ａ）に矩形状のガラス製板１９ｂ（及びガラス製板２０ｂ）を組込んで構成されている。この場合、可動棚１９（及び可動棚２０）にガラスを用いると、合成樹脂を用いた場合に比べて重量が増すことになるが、これにともない、重量感や高級感が演出される。この可動棚１９（及び可動棚２０）は全体として、該可動棚１９（及び可動棚２０）の後方縁部が切欠いて形成される幅狭部１９ｃ（及び幅狭部２０ｃ）と、この幅狭部１９ｃ（及び幅狭部２０ｃ）の前方に位置して前記幅狭部１９ｃ（及び幅狭部２０ｃ）よりも幅広となる幅広部１９ｄ（及び幅広部２０ｄ）とを有して構成される。この幅狭部１９ｃ（及び幅狭部２０ｃ）の左右方向の寸法は、冷蔵室５内の左右側壁に設けられた後述する照明ユニット２３のカバー２４が冷蔵室５内方に最も突出している部分の間の距離よりも、短く設定されている（図３参照）。この場合、幅狭部１９ｃ（及び幅狭部２０ｃ）の両側縁部は、後述する内箱ビード２１（及び内箱ビード２２）には支持されるが、溝部２５（及び溝部２６）には支持されない幅で構成される。また、幅広部１９ｄ（及び幅広部２０ｄ）の左右方向の寸法は、冷蔵室５の左右側壁間の距離よりも若干短い寸法に設定されている。
【００１６】
次に、載置部たる内箱ビード２１，２２について詳述する。図２に示すように、上段の内箱ビード２１は、冷蔵室５内を上段部５ａと中段部５ｂとに仕切る上段の可動棚１９を支持するように、冷蔵室５内の上方に設けられている。この上段の内箱ビード２１は、高さ調整用に若干離間させて２段に設けられた、上側の内箱ビード２１ａと下側の内箱ビード２１ｂとから構成される。同様に、下段の内箱ビード２２は、冷蔵室５内を中段部５ｂと下段部５ｃとに仕切る下段の可動棚２０を支持するように、冷蔵室５内において固定棚１８の上方であって上段の内箱ビード２１の下方に設けられている。この下段の内箱ビード２２も、高さ調整用に若干離間させて２段に設けられた、上側の内箱ビード２２ａと下側の内箱ビード２２ｂとから構成される。
【００１７】
ここで、これら上段の内箱ビード２１（上側の内箱ビード２１ａ及び下側の内箱ビード２１ｂ）と、下段の内箱ビード２２（上側の内箱ビード２２ａ及び下側の内箱ビード２２ｂ）とは、その配置以外の構成は同じであるため、上側上段の内箱ビード２１ａを代表させて具体的構成について説明する。
内箱ビード２１ａは、冷蔵室５の後方の左右両側壁（内箱４の内側側壁）に、後述する照明ユニット２３のカバー２４よりも冷蔵室５の内方に突出させて設けられている（図３参照）。また、内箱ビード２１ａは、その上面が平面をなして可動棚１９が載置されるとともに、下部はいわゆる三角リブ形状となっている（図４参照）。この内箱ビード２１ａは、内箱４に一体に成形されていて、組立前（発泡断熱材の充填前）においてはその内部は中空となっている。そして、断熱箱体２の組立の際に、この内箱ビード２１ａの内部にまで発泡断熱材を発泡充填させることで構造上の強度を増している。
【００１８】
また、内箱ビード２１ａの奥行方向の寸法は、可動棚１９の前端から冷蔵室５の前面の開口部５ｄの前端までの寸法より、若干長く設定されている。このようにすることで、可動棚１９を冷蔵室５の前面の開口部５ｄ前端まで引出したときでも、可動棚１９後部の左右両角部が内箱ビード２１ａに若干支持されるようになっている。これにより、使用者が可動棚１９の前端を持って該可動棚１９をスライドさせて引出す際に、内箱ビード２１ａによる可動棚１９の支持が急に無くなって該可動棚１９が落下してしまうことを防止することができる。このため、比較的重いガラス製の可動棚１９においても、安全に引出して取出すことができる。
【００１９】
照明手段たる照明ユニット２３は、前記内箱ビード２１，２２の前方であって可動棚１９，２０の前端縁部より奥側に位置する左右両側の側壁、即ち、冷蔵室５内の前後方向の中央よりやや前方寄りであって可動棚１９，２０の左右に位置する左右両側の側壁（内箱４の内側側壁）にそれぞれ設けられている（図３参照）。この照明ユニット２３は、後述するカバー２４に設けられた溝部２５，２６により可動棚１９，２０を支持するとともに、内部にはこれら２枚の可動棚１９，２０を跨ぐように複数の光源を有している。これにより、照明ユニット２３は、冷蔵室５の内部、特に固定棚１８及び可動棚１９，２０の上面を照らす構成となっている。
【００２０】
具体的には、照明ユニット２３は、全体として縦長の矩形状をなし、回路基板２７が設けられた基板取付部材たる後板３０に、支持部たるカバー２４が被せされて構成されている（図４〜７参照）。このカバー２４は、アクリルなどの透明又は半透明の樹脂から構成されていて、冷蔵室５の内側側壁よりも冷蔵室５の内方に凸状の曲線形状（いわゆる、アーチ形状）となるように突出して設けられている（図７参照）。また、カバー２４には、図２で示すように、載置部たる内箱ビード２１，２２の上面とほぼ同じ高さとなるように凹溝形状に形成された、上段の可動棚１９用の溝部２５（上側の溝部２５ａと下側の溝部２５ｂ）と、下段の可動棚２０用の溝部２６（上側の溝部２６ａと下側の溝部２６ｂ）とが形成されている。可動棚１９，２０は、該可動棚１９，２０の左右側縁部がカバー２４の凹溝形状の溝部２５，２６に入り込むことにより、該可動棚１９，２０の上下方向の移動が規制された状態で支持される。この場合、可動棚１９，２０は、内箱ビード２１，２２及びカバー２４の溝部２５，２６にそれぞれ支持されているだけなので、凹溝形状の溝部２５，２６にスライドさせて出し入れすることができる。ここで、カバー２４は、溝部２５，２６が後述する基板取付部材としての後板３０の保持部３０ｃに載置された形態で、後板３０に固定されている（図４参照）。
【００２１】
カバー２４内側において、溝部２５，２６を除く部分には、光拡散部２４ａが形成されている。この光拡散部２４ａは、例えば、左右方向に延びる溝形状が上下方向に多数設けられて、この光拡散部２４ａを通った光が拡散するように構成されている。この光拡散部２４ａによって、照明ユニット２３は、指向性の強い発光ダイオードなどの光源からの光が拡散されてより均一な面光源となり、冷蔵室５内をまんべんなく照らすことができる。なお、この光拡散部２４ａは、例えば、シボ加工を施して光源からの光を拡散するようにしても良い。
【００２２】
回路基板２７は、縦長の矩形状の一枚の基板２８に、光源たる発光ダイオード２９が複数個実装されるとともに、これら発光ダイオード２９を駆動させるための駆動回路（図示せず）を有して構成されている。この場合、基板２８には、３個の発光ダイオード２９ａ，２９ｂ，２９ｃが、可動棚１９及び可動棚２０をそれぞれ跨るように、つまり、カバー２４の溝部２５及び溝部２６をそれぞれ跨るようにして配設される（図４参照）。これにより、冷蔵室５内において、上段部５ａと、中段部５ｂと、下段部５ｃとの空間に発光ダイオード２９ａ，２９ｂ，２９ｃからの光がそれぞれ照射されて、固定棚１８及び可動棚１９,２０の上面がまんべんなく照らされる。ここで、基板２８の左右両縁部には、左右高さを違えてコ字状の切欠部２８ａが複数個設けられている。
【００２３】
後板３０は、縦長の矩形状であって冷蔵室５の外側（図４では、右側）に凸状をなしている。また、後板３０の上部の裏面（内箱４側）は、緩やかな傾斜部３０ａを有して構成されている。後板３０の前面（冷蔵室５内方）には、基板２８に設けられたそれぞれの切欠部２８ａに対応して、冷蔵室５内方に向かって前方上方に突出したＬ字形状の係止部３０ｂが設けられている（図６参照）。回路基板２７は、基板２８に形成された切欠部２８ａが前記係止部３０ｂに係止されることにより、左右方向及び上下方向に位置決めされて後板３０に取付けられる。また、後板３０の前面（冷蔵室５内方）における回路基板２７の左右両側には、肉厚となる保持部３０ｃが設けられている。この保持部３０ｃには、前記カバー２４の溝部２５，２６が載置される。
【００２４】
後板３０は、保持部３０ｃの裏面（内箱４側）にボス部３０ｄが形成されていて、内箱４の外側（外箱３側）から挿入される固定ねじ３２によって内箱４の側壁にねじ固定される。具体的には、冷蔵室５内における内箱４の左右両側の側壁には、照明ユニット２３の後板３０の裏面形状に沿って、内箱４の内側側壁を外側に凹ませた収容部３１が形成されている。照明ユニット２３は、後板３０部分が収容部３１に収容される形態で配設される。そして、内箱４の外側（外箱３側）から後板３０のボス部３０ｄに対して固定ねじ３２がねじ込まれることにより、照明ユニット２３が内箱４に固定される。この場合、収容部３１の壁面には、固定ねじ３２用の複数の穴３３が形成されている。また、後板３０においては、ボス部３０ｄを基準として保持部３０ｃが配置されている。これにより、収容部３１に照明ユニット２３の後板３０を取付ける際に、穴３３を基準として、内箱ビード２１（及び２２）と保持部３０ｃとの相対的な位置関係が決まることになる。
【００２５】
また、照明ユニット２３の後板３０に設けられた回路基板２７は、可動棚１９，２０の左右側縁よりも外側に位置して、内箱４を外側に凹ませた収容部３１内に収容されるように配置され、冷蔵室５の左右側壁（内箱４の内側側壁）とほぼ並行して設けられることになる。さらに、カバー２４は、可動棚１９，２０を支持する凹溝形状の溝部２５，２６における最凹部が、冷蔵室５の左右側壁とほぼ同一面上に位置するように設けられている。
【００２６】
ところで、本実施形態における左右の観音開式の扉１０，１１は、左右それぞれ前方に最大１３５度程度開くように設定されている。しかし、冷蔵庫１が設置される部屋の間取りや家具などのレイアウトによっては、冷蔵庫１の左右どちらか、若しくは両側に位置して、冷蔵庫１の前面より前方に延びる壁や家具などが存在してしまうことがある。この場合、左右の観音開式の扉１０，１１は、壁や家具などと干渉して最大開位置まで開くことができなくなる。このような状況も考慮して、冷蔵室５内に配設されて使用者により作業される部品（清掃や配置変更などが必要な部品）は、少なくとも左右の扉１０，１１が９０度開いた状態で冷蔵室５外へ取出せることが望ましい。
【００２７】
ここで、左右の扉１０，１１を９０度開いた状態において、可動棚１９，２０を取外して冷蔵室５内から取出す手順について、図９及び図１０も参照して説明する。なお、可動棚１９，２０の取外し、取出し手順は同じであるため、可動棚１９を代表させて説明する。
通常の使用状態（第１の状態とする）においては、図９（ａ）及び図１０（ａ）で示すように、可動棚１９は冷蔵室５の奥側に押し込まれて配置されている。この状態においては、可動棚１９の後部の幅狭部１９ｃは、その左右両縁部が内箱ビード２１に支持されている。また、可動棚１９の前部の幅広部１９ｄは、その左右両縁部が照明ユニット２３のカバー２４に設けられた溝部２５に支持されている。そして、この場合、可動棚１９は、図２で示したように、溝部２５によってその上下方向の移動が規制されている。このように可動棚１９の上下方向の移動が規制されることにより、可動棚１９に予期せぬ衝撃が加えられた場合、例えば、中身の入ったペットボトルなどが可動棚１９の上に落とされてしまった場合に、可動棚１９がその衝撃で浮き上がって溝部２５から外れてしまい、これによる可動棚１９の傾きや脱落を防止することができる。
【００２８】
次に、可動棚１９を冷蔵室５内から取出す場合には、まず、図９（ｂ）で示すように、左右の扉１０，１１を開いた状態（図９では、９０度開いた状態）で、可動棚１９の前端を使用者が手で持って、該可動棚１９の前端が冷蔵室５の前端の開口部５ｄに位置するまで前方にスライドさせて引出す（図１０（ｂ）も参照）。この場合、可動棚１９の幅広部１９ｄは、溝部２５より前方に位置して、この溝部２５の支持から外れた状態になっている。即ち、この状態においては、可動棚１９は上下方向の移動が規制されていないため、上下方向に回動可能となっていて、可動棚１９を取外すことのできる取外可能状態（第２の状態とする）となる。
【００２９】
なお、この第２の状態では、可動棚１９の幅狭部１９ｃの左右両端部、つまり、可動棚１９後部の左右両角部は、内箱ビード２１の前部に若干支持された状態になっている。この場合、可動棚１９を前方にスライドさせるために、必然的に可動棚１９の前端を使用者が持っているから、該可動棚１９の後部が支持されていることで、該可動棚１９の落下を防止することができる。
【００３０】
ここで、可動棚１９を冷蔵室５内から取出そうとして、第２の状態から該冷蔵室５の前端よりもさらに前方にそのまま引出そうとすると、左右の扉１０，１１のドアポケット１２，１３と干渉して取出すことができない。そこで、第２の状態において、図１０（ｂ）の矢印Ｆで示すように、可動棚１９を前方に回動させる。そして、該可動棚１９を、左右のドアポケット１２，１３を避けながら前方斜め下方に引出すことで、ドアポケット１２，１３と干渉せずに取出すことができる。
【００３１】
このような本実施形態によれば、次のような効果を得ることができる。
本実施形態の構成によれば、冷蔵室５内の左右両側壁の後方には、上段の内箱ビード２１（及び下段の内箱ビード２２）が設けられている。また、この内箱ビード２１（及び内箱ビード２２）より前方に位置して冷蔵室５内の左右両側壁には、冷蔵室５内方に突出して照明ユニット２３が設けられている。そして、可動棚１９（及び可動棚２０）は、前記内箱ビード２１（及び内箱ビード２２）と、照明ユニット２３の支持部たるカバー２４に設けられた溝部２５（及び溝部２６）とで支持されるとともに、この溝部２５（及び溝部２６）によって上下方向の移動が規制されている。これによれば、冷蔵室５内の左右側壁に、冷蔵室５内方に突出して照明ユニット２３を設けた場合であっても、可動棚１９（及び可動棚２０）の上下方向の移動を規制することができ、従って可動棚１９（及び可動棚２０）に衝撃が加わった場合でも傾きや回転、脱落を防止することができる。
【００３２】
また、前記支持部たるカバー２４に設けられた溝部２５（及び溝部２６）は、溝形状から構成され、該溝部２５（及び溝部２６）に、可動棚１９（及び可動棚２０）がスライドされて出し入れされる。これによれば、可動棚１９（及び可動棚２０）の左右側壁に、冷蔵室５内方に突出した構造物（照明ユニット２３）が設けられる場合であっても、該可動棚１９（及び可動棚２０）を冷蔵室５外に取出すことが可能になる。
【００３３】
本実施形態において、可動棚１９（及び可動棚２０）は、該可動棚１９（及び可動棚２０）の後方縁部が切欠いて形成される幅狭部１９ｃ（及び幅狭部２０ｃ）と、この幅狭部１９ｃ（及び幅狭部２０ｃ）の前方に位置して前記幅狭部１９ｃ（及び幅狭部２０ｃ）よりも幅広となる幅広部１９ｄ（及び幅広部２０ｄ）とを有して構成されている。そして、この幅狭部１９ｃ（及び幅狭部２０ｃ）の左右方向の寸法は、冷蔵室５内の左右側壁に設けられたそれぞれの照明ユニット２３のカバー２４が冷蔵室５内方に最も突出している部分の間の距離よりも、短く設定されている。これによれば、幅狭部１９ｃ（及び幅狭部２０ｃ）が、カバー２４の溝部２５（及び溝部２６）と接触せずに、可動棚１９（及び可動棚２０）を回動させて取外すことができる。
【００３４】
内箱ビード２１（及び内箱ビード２２）は、照明ユニット２３のカバー２４よりも冷蔵室５の内方に突出して設けられている。また、可動棚１９（及び可動棚２０）の幅狭部１９ｃ（及び幅狭部２０ｃ）は、内箱ビード２１（及び内箱ビード２２）には支持されるが、溝部２５（及び溝部２６）には支持されない幅で構成されている。そして、該可動棚１９（及び可動棚２０）を前方にスライドさせたときに、幅広部１９ｄ（及び幅広部２０ｄ）は溝部２５（及び溝部２６）の前方に位置するとともに、幅狭部１９ｃ（及び幅狭部２０ｃ）の一部は内箱ビード２１（及び内箱ビード２２）の前端に支持されて、該可動棚１９（及び可動棚２０）が冷蔵室５外に取外し可能な第２の状態となる。これによれば、可動棚１９（及び可動棚２０）を第２の状態にした際に、該可動棚１９が落下してしまうことを防止することができ、比較的重いガラス製の可動棚１９（及び可動棚２０）においても、安全に引出して取出すことができる。
【００３５】
さらに、冷蔵室５の前面の開口部５ｄには、ドアポケット１２，１３を有する観音開式の扉１０，１１が設けられ、この扉１０，１１が９０度開かれて前記可動棚１９（及び可動棚２０）を前方にスライドさせたときに、可動棚１９（及び可動棚２０）は回動可能となって取外し可能な第２の状態になる。これによれば、ドアポケット１２，１３を有する観音開式の扉１０，１１が、周囲の壁や家具などによって９０度程度しか開くことができない場合であっても、可動棚１９（及び可動棚２０）をドアポケット１２，１３と干渉させずに安全に冷蔵室５外へ取出すことができる。
【００３６】
この場合、可動棚１９（及び可動棚２０）は、該可動棚１９（及び可動棚２０）の前方が扉１０，１１と干渉する前に、第２の状態となる方が良い。つまり、ドアポケット１２，１３の周囲にガスケット１０ａ，１１ａが設けられている本実施形態においては、可動棚１９（及び可動棚２０）は、該可動棚１９（及び可動棚２０）の前端がガスケット１０ａ、１１ａに位置したときに、第２の状態となることが望ましい。これによれば、可動棚１９（及び可動棚２０）の前方が扉１０，１１と干渉する前に、取外し可能な第２の状態となるため、より円滑に可動棚１９（及び可動棚２０）を取外すことができる。
【００３７】
なお、本実施形態においては、可動棚１９（及び可動棚２０）の前端が冷蔵室５の前端に位置するまで前方にスライドさせて引出したときに、該可動棚１９（及び可動棚２０）は取外し可能な第２の状態となる。これによれば、冷蔵室５の前面に設けられる扉は観音開式の扉１０，１１に限られず、ドアポケットを有する片開きの扉においても同様の作用効果を得ることができる。
【００３８】
以上のように、本実施形態の冷蔵庫によれば、貯蔵室を上下に仕切るように配置される庫内棚は、貯蔵室の内側側壁に設けられた載置部と、前記載置部より前方に位置して前記貯蔵室の内側側壁に設けられた支持部とで支持されるとともに、該支持部によって上下方向の移動を規制される。これによれば、貯蔵室内方に突出した構造物、例えば照明器などを設けるものにおいても、庫内棚の傾きや回転、脱落を防止することがきる。
【００３９】
本発明の実施形態を説明したが、本実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。本実施形態やその変形は、発明の範囲や要旨に含まれるとともに、特許請求の範囲に記載された発明とその均等の範囲に含まれる。
【符号の説明】
【００４０】
図面中、１は冷蔵庫、５は冷蔵室（貯蔵室）、５ｄは開口部、１０観音開式の左扉、１１は観音開式の右扉、１２は左ドアポケット、１３は右ドアポケット、１９，２０は可動棚（庫内棚）、１９ｃ，２０ｃは幅狭部、１９ｄ，２０ｄは幅広部、２１，２２は内箱ビード（載置部）、２４はカバー（支持部）、２５，２６は溝部を示す。
【図１】
0005525928.tif 000002
【図２】
0005525928.tif 000003
【図３】
0005525928.tif 000004
【図４】
0005525928.tif 000005
【図５】
0005525928.tif 000006
【図６】
0005525928.tif 000007
【図７】
0005525928.tif 000008
【図８】
0005525928.tif 000009
【図９】
0005525928.tif 000010
【図１０】
0005525928.tif 000011